(57)【要約】【課題】カムスイッチなどの電力制御開閉器の配線用端子をねじアップ機構とする。【解決手段】ねじ２１１および座金２１２は、座金２１２の後部の一方側から上方に他方側にＬ字状に折り曲げたＬ字状に折り曲げ部２１２ａで下方に突出した突起部２１２ｂにより圧縮ばね２１３と連結しているため、座金２１２と圧縮ばね２１３とを前後に配置してねじアップ機構を低くして小型化を実現している。これによって、カムスイッチなどの電力制御開閉器の配線用端子をねじアップ機構とする。【選択図】図２
2011034735.tif 000002
【特許請求の範囲】
【請求項１】
平面視で周囲を囲う筐体状の絶縁ブロックと、該絶縁ブロック内に収容され、ねじの首部を保持用穴で外嵌して保持可能な座金の後部一方側から上方にＬ字状に他方側に折り曲げられたＬ字状折り曲げ部から下方に突出した突起部が形成されたねじ付座金部と、該絶縁ブロック内に収容され、該突起部に係合されて該ねじ付座金部をねじアップ方向に付勢する圧縮ばねとを有するねじアップユニット。
【請求項２】
前記絶縁ブロックは、平面視４角形の４辺を囲っており、背面壁側から、先端部が互いに外側に膨れた装着用の二つの突起部が突出している請求項１に記載のねじアップユニット。
【請求項３】
前記絶縁ブロックは、平面視４角形の４辺を囲っており、背面壁側に前記Ｌ字状折り曲げ部が収容されて上下に移動可能とするスリット部が形成されており、該スリット部の一方端部が座金収容部に連通し、該スリット部の開口入口側に該Ｌ字状折り曲げ部の抜け止め用の突起部が形成されていると共に、前記圧縮ばねを収容するための円形穴が該スリット部の途中でその深さ方向に形成されている請求項１または２に記載のねじアップユニット。
【請求項４】
前記座金と該圧縮ばねとを前後に配置してねじアップ機構を構成している請求項１に記載のねじアップユニット。
【請求項５】
請求項３に記載のねじアップユニットの製造方法であって、
前記円形穴に上から前記圧縮ばねを挿入する圧縮ばね挿入工程と、前記座金を前記ねじと共に前記座金収容部に上から挿入すると共に、前記Ｌ字状折り曲げ部を前記スリット部に、該圧縮ばねに該Ｌ字状折り曲げ部の突起部を係合させて、戻り止めの突起部を超えて挿入するねじ付座金部挿入工程とを有するねじアップユニットの製造方法。
【請求項６】
スイッチをオン／オフするための固定接点と可動接点が収容され、該固定接点がユニット外側に配置された配線用端子と一体的に連設されているスイッチユニットと、
該スイッチユニットの内部を覆うカバー部材と、
該配線用端子上にねじアップ可能に配置される請求項１〜４のいずれかに記載のねじアップユニットとを有するスイッチユニット部。
【請求項７】
前記カバー部材の側面部に、前記配線用端子の位置に対応するように前記ねじアップユニットが着脱可能に装着されている請求項６に記載のスイッチユニット部。
【請求項８】
前記カバー部材の側面部に、前記配線用端子の位置に対応するように前記ねじアップユニットが一体化して形成されている請求項６に記載のスイッチユニット部。
【請求項９】
請求項６〜８のいずれかに記載のスイッチユニット部が一または複数個積み重ねて構成されている開閉器。
【請求項１０】
請求項１〜４のいずれかに記載のねじアップユニットが配線用端子上にねじアップ可能に装着されている開閉器。
【発明の詳細な説明】
【技術分野】
【０００１】
本発明は、端子のねじ穴からねじを回転離脱させた状態で端子面に対して垂直方向にねじを座金と共に移動（アップ）させた状態にすることにより、ねじ締結作業を容易にするねじアップ機能を有するねじアップユニットおよびその製造方法、このねじアップユニットが用いられるスイッチユニット部、このねじアップユニットが用いられ、例えば原子力発電所、火力発電所および変電所などの配電盤、制御盤および監視盤などに用いられるドラムスイッチやカムスイッチなどの切り替えスイッチなどの開閉器に関する。
【背景技術】
【０００２】
この種の従来のねじアップ機能は、前述した配電盤、制御盤および監視盤などに用いられる配線中継および分岐装置としてのねじアップ式端子台に用いられている。従来のねじアップ式端子台のねじアップ機能について図７および図８を用いて詳細に説明する。
【０００３】
図７は、特許文献１に開示された従来のねじアップ式端子台を斜め上から見た場合の斜視図であり、図８は、図７のねじ、座金および圧縮ばねを組み立てた状態を示す斜視図である。
【０００４】
図７および図８に示すように、従来のねじアップ式端子台１は、ねじ首にワッシャ手段としてのスパックおよび平ワッシャ２１が嵌め込まれて成形された鍋ねじなどのねじ２と、ねじ２の首部を外嵌して頭部を保持可能なねじ保持用穴を持つＬ字状の座金３と、短冊状の金属製帯材の一方端部に締結用のねじ用穴４を持つ端子５と、この端子５を保持すると共に端子５に対して垂直方向にねじ２を座金３と共に移動（アップ・ダウン）自在にガイドする絶縁部材からなるユニット６と、端子５のねじ用穴４下のユニット６の六角穴内に収容され、ねじ２がねじ用穴４を通して螺合可能とするナット７と、Ｌ字状の座金３の背部に設けられた突起部分に一端が挿入されて、ねじ用穴４から離間する方向（端子５の広面に対して垂直方向）に、座金３を付勢する圧縮ばね８とを有している。
【０００５】
ねじ２は、ねじ首にスパック（Ｓワッシャ）および平ワッシャ２１が嵌め込まれた後にねじ成形されているので、スパックおよび平ワッシャ２１はねじ本体から脱落することはない。この場合、スパックの外径よりも平ワッシャ２１の外径の方が大きい。
【０００６】
座金３は、ねじ保持用穴を有する四角形状の座金部材３１と、この座金部材３１の一辺部分にＬ字状に連設する支持部材３２とから構成されている。この支持部材３２は、端子５の広面に対して垂直方向に配置され、支持部材３２の連設部分近傍の幅方向中央部分が切り起こされて、先端部分が端子５側に向けられたＬ字状突起部３３が形成されている。このＬ字状突起部３３の先端部分には圧縮ばね８が取り付けられる。これにより、中間組み立て品である座金およびばね付きねじ（図８参照）が構成される。この場合、支持部材３２からＬ字状突起部３３が切り起こされているが、この切り起こされた部分の溝幅が圧縮ばね８のばね外径よりも細い溝幅となっており、かつ、圧縮ばね８の配設方向に金型を抜くように構成されている。これによって、図８に示すように、Ｌ字状突起部３３は、Ｌ字状突起部３３にその先端部分ほど細くなるようにテーパができて先細形状となっており、ばね圧縮時の圧縮ばね８の安定性を確保すると共に、Ｌ字状突起部３３（一段折れ曲がった構造）を圧縮ばね８の内径に挿入する際にも圧縮ばね８がＬ字状突起部３３に引っ掛かり難い。また、ばね伸長時にも、構成するユニット６の所定位置（例えば凹部）内に組み付けることにより、圧縮ばね８が円柱状または角柱状に囲まれて、圧縮ばね８の位置の安定性が確保されている。
【０００７】
この場合、ねじ２と座金３とをカシメてねじ２が座金３から脱落しないようにしてもよく、ねじ２と座金３とはカシメずに、ねじ２の先端部分から座金３のねじ保持穴に通して、ねじアップしてくるねじ２の頭部や平ワッシャ２１などを後述するようにねじ保持部６３で上から保持するようにしてもよい。即ち、ねじ２と座金３が分離可能な構造（ねじ２が座金３にカシメられていない場合）である。
【０００８】
ユニット６は複数個その厚み方向に連結され、隣接するユニット６との絶縁のために縦方向に面構造を持つ壁部材６１と、前述したねじ２、座金３、端子５、ナット７および圧縮ばね８を収容するために壁部材６１から立設されたリブ部材６２とを有している。
【０００９】
また、ユニット６は、圧縮ばね８の付勢力によりねじ２を座金３と共に保持するねじ保持部６３を有している。このねじ保持部６３はユニット６の天井部に設けられており、ねじ２の鍋状頭部をユニット６の天井部の穴で逃がして平ワッシャ２１の外周縁部を固定するためのリブを設けている。
【００１０】
圧縮ばね８は、座金３の背後に配設されてばね長が取れるのでばね外径を小さくできることから、ばね部分のスペースを小さくでき、かつ、通常のばねよりもばね外径は小さいが、ターン数が多く取れるので、従前のばねよりもばねのへたりを少なくすることができる。
【００１１】
次に、従来の電力制御開閉器として、切り替えスイッチとしてのカムスイッチの基本構造が特許文献２に開示されている。特許文献２に開示されている従来のカムスイッチについて図９を用いて説明する。
【００１２】
図９は、従来のカムスイッチの筐体ユニットの平面図である。
【００１３】
図９に示すように、従来のカムスイッチにおいて、外周にカム溝１００を刻設した絶縁性の回転カム１０１を筐体ユニット１０２内に収容している。この回転カム１０１は、その中心角穴に金属性シャフト１０３が通されて金属性シャフトと共に回転自在に構成されている。回転カム１０１の外周に、可動接点１０４を有する可動棒１０５を接点ばね１０６で付勢させた状態で当接させている。固定接点１０７は、この可動接点１０４に対向して可動接点１０４よりも回転カム１０１側に配置するように筐体ユニット１０２に取り付けられている。固定接点１０７は、筐体ユニット１０２の外側に配置された配線用端子１０８と一体的に連設されている。
【００１４】
筐体ユニット１０２は、複数個その厚み方向に必要数だけ連結される積み上げ構造となっている。
【００１５】
図示しない金属性シャフト１０３は、その一端にハンドルが固着され、軸受けで回転自在に支持されている。金属性シャフト１０３はその回転に伴って、階層の各筐体ユニット１０２内で回転カム１０１を回転させて、回転カム１０１の外周に設けたカム溝１００を利用して、可動接点１０４と固定接点１０７とを回転カム１０１の回転角度に応じてオン／オフするようになっている。
【先行技術文献】
【特許文献】
【００１６】
【特許文献１】特許第４１１６９７２号公報
【特許文献２】特開２０００−１３３０８８号公報
【発明の概要】
【発明が解決しようとする課題】
【００１７】
上記従来のカムスイッチの配線用端子１０８上に、上記従来のねじアップ式端子台におけるねじアップ機構を適用しようとする場合には、従来のカムスイッチが内部に接点構造を有した複数のスイッチユニット部が厚さ方向に積み重ねられて構成されていることから、ねじアップ機構を用いることができるほどスイッチユニット部自体が厚くなく、従来のカムスイッチの配線用端子自体も面積的に大きくないため、上記従来のねじアップ式端子台１におけるねじアップ機構をカムスイッチの配線用端子１０８に適用するのはサイズの点から困難であるという問題を有していた。
【００１８】
本発明は、上記従来の問題を解決するもので、カムスイッチなどの開閉器の配線用端子をねじアップ機構とすることができるねじアップユニットおよびその製造方法、このねじアップユニットを用いたスイッチユニット部、このねじアップユニットを用いた切り替えスイッチなどの開閉器を提供することを目的とする。
【課題を解決するための手段】
【００１９】
本発明のねじアップユニットは、平面視で周囲を囲う筐体状の絶縁ブロックと、該絶縁ブロック内に収容され、ねじの首部を保持用穴で外嵌して保持可能な座金の後部一方側から上方にＬ字状に他方側に折り曲げられたＬ字状折り曲げ部から下方に突出した突起部が形成されたねじ付座金部と、該絶縁ブロック内に収容され、該突起部に係合されて該ねじ付座金部をねじアップ方向に付勢する圧縮ばねとを有するものであり、そのことにより上記目的が達成される。
【００２０】
また、好ましくは、本発明のねじアップユニットにおける絶縁ブロックは、平面視４角形の４辺を囲っており、背面壁側から、先端部が互いに外側に膨れた装着用の二つの突起部が突出している。
【００２１】
さらに、好ましくは、本発明のねじアップユニットにおける絶縁ブロックは、平面視４角形の４辺を囲っており、背面壁側に前記Ｌ字状折り曲げ部が収容されて上下に移動可能とするスリット部が形成されており、該スリット部の一方端部が座金収容部に連通し、該スリット部の開口入口側に該Ｌ字状折り曲げ部の抜け止め用の突起部が形成されていると共に、前記圧縮ばねを収容するための円形穴が該スリット部の途中でその深さ方向に形成されている。
【００２２】
さらに、好ましくは、本発明のねじアップユニットにおいて、前記座金と該圧縮ばねとを前後に配置してねじアップ機構を構成している。
【００２３】
本発明のねじアップユニットの製造方法は、本発明の上記ねじアップユニットの製造方法であって、前記円形穴に上から前記圧縮ばねを挿入する圧縮ばね挿入工程と、前記座金を前記ねじと共に前記座金収容部に上から挿入すると共に、前記Ｌ字状折り曲げ部を前記スリット部に、該圧縮ばねに該Ｌ字状折り曲げ部の突起部を係合させて、戻り止めの突起部を超えて挿入するねじ付座金部挿入工程とを有するものであり、そのことにより上記目的が達成される。
【００２４】
本発明のスイッチユニット部は、スイッチをオン／オフするための固定接点と可動接点が収容され、該固定接点がユニット外側に配置された配線用端子と一体的に連設されているスイッチユニットと、該スイッチユニットの内部を覆うカバー部材と、該配線用端子上にねじアップ可能に配置される本発明の上記ねじアップユニットとを有するであり、そのことにより上記目的が達成される。
【００２５】
また、好ましくは、本発明のスイッチユニット部におけるカバー部材の側面部に、前記配線用端子の位置に対応するように前記ねじアップユニットが着脱可能に装着されている。
【００２６】
さらに、好ましくは、本発明のスイッチユニット部におけるカバー部材の側面部に、前記配線用端子の位置に対応するように前記ねじアップユニットが一体化して形成されている。
【００２７】
本発明の開閉器は、本発明の上記スイッチユニット部が一または複数個積み重ねて構成されているものであり、そのことにより上記目的が達成される。
【００２８】
本発明の開閉器は、本発明の上記ねじアップユニットが配線用端子上にねじアップ可能に装着されているものであり、そのことにより上記目的が達成される。
【００２９】
上記構成により、以下、本発明の作用を説明する。
【００３０】
本発明においては、ねじアップユニットとして、平面視で周囲を囲う筐体状の絶縁ブロックと、この絶縁ブロック内に収容され、ねじの首部を保持用穴で外嵌して保持可能な座金の後部一方側から上方にＬ字状に他方側に折り曲げられたＬ字状折り曲げ部から下方に突出した突起部が形成されたねじ付座金部と、該絶縁ブロック内に収容され、該突起部に係合されて該ねじ付座金部を付勢する圧縮ばねとを有している。このねじアップユニットをスイッチユニット部の配線用端子上や電力制御開閉器の配線用端子上にねじアップが可能なように装着してもよいし、また、このねじアップユニットをこの配線用端子上に一体的に配設してもよい。
【００３１】
これによって、ねじ付座金は、座金の後部の一方側から上方に他方側にＬ字状に折り曲げて圧縮ばねと連結しているため、座金と圧縮ばねとを前後に配置してねじアップ機構を低くして小型化を実現しているので、カムスイッチなどの開閉器におけるスイッチユニット部の厚さが厚くなく小型の配線用端子をねじアップ機構とすることが可能となる。
【発明の効果】
【００３２】
以上により、本発明によれば、圧縮ばねの付勢力により座金のＬ字状折り曲げ部が突起部に当接して抜け止めとなってねじアップ状態を保持してねじアップ機能を発揮すると共に、このねじアップ構造を絶縁ブロックでその周りを囲って絶縁体のフィンガープロテクション機能を発揮することができる。また、座金は、上方にＬ字状に折り曲げて圧縮ばねと連結しているため、座金と圧縮ばねとを前後に配置してねじアップ機構を低くして小型化を実現しているため、カムスイッチなどの電力制御開閉器におけるのスイッチユニット部の配線用端子側へのねじアップ機構の潜り込みを防止することができて、既存のカムスイッチなどの電力制御開閉器のスイッチユニット部の小型の配線用端子にもこのねじアップ機構を容易に追加することができる。また、このねじアップ機構が破損した場合にも容易かつ素早くねじアップユニットを取り替えることもできる。
【図面の簡単な説明】
【００３３】
【図１】本発明の実施形態におけるねじアップユニットの要部構成図であって、（ａ）はそのねじアップユニットの上面図、（ｂ）はそのねじアップユニットの側面図、（ｃ）はそのねじアップユニットの正面図、（ｄ）は（ａ）のねじアップユニットのＡ−Ａ線縦断面図である。
【図２】（ａ）〜（ｃ）は、図１のねじアップユニットを組み立てる場合の各組み立て工程を示す組み立て斜視図である。
【図３】（ａ）〜（ｃ）は、本実施形態のねじアップユニットを装着する各カムスイッチの組み立て工程を示す組み立て斜視図である。
【図４】（ａ）および（ｂ）は、図３のカムユニット部の組み立て時に図１のねじアップユニットを装着する工程を示す組み立て斜視図である。
【図５】（ａ）および（ｂ）は、図４のカバー部材とねじアップユニットとが一体的に形成された場合のカムユニット部の組み立て工程を示す組み立て斜視図である。
【図６】（ａ）および（ｂ）は、図５のカムユニット部を用いてカムスイッチを組み立てる工程を示す組み立て斜視図である。
【図７】特許文献１に開示された従来のねじアップ式端子台を斜め上から見た場合の斜視図である。
【図８】図７のねじ、座金および圧縮ばねを組み立てた状態を示す斜視図である。
【図９】従来のカムスイッチの筐体ユニットの平面図である。
【発明を実施するための形態】
【００３４】
以下に、本発明のねじアップユニットおよびこれを用いた電力制御開閉器の実施形態について図面を参照しながら詳細に説明する。
【００３５】
図１は、本発明の実施形態におけるねじアップユニットの要部構成図であって、（ａ）はそのねじアップユニットの上面図、（ｂ）はそのねじアップユニットの側面図、（ｃ）はそのねじアップユニットの正面図、（ｄ）は（ａ）のねじアップユニットのＡ−Ａ線縦断面図である。
【００３６】
図１（ａ）〜図１（ｄ）において、本実施形態のねじアップユニット２００は、平面視で周囲４角形４辺を囲う筐体状の絶縁ブロック２１０と、ねじ首にワッシャ手段としてのスパックおよび平ワッシャが嵌め込まれて成形された鍋ねじなどのねじ２１１と、ねじ２１１の首部を外嵌して頭部を保持可能なねじ保持用穴を持ち、上方にＬ字状に折り曲げられた座金２１２と、座金２１２のＬ字状折り曲げ部２１２ａの突起部分に一端が挿入されて、後述する図示しないカムスイッチの配線用端子のねじ穴から離間する方向（配線用端子の広面に対して垂直方向）に、座金２１２を上方向に付勢する圧縮ばね２１３とを有している。
【００３７】
筐体状の絶縁ブロック２１０は、絶縁樹脂材料製であり、正面壁２０１と両側面壁２０２さらに背面壁２０３をフィンガープロテクトのために平面視４角形の４辺を囲っている。また、正面壁２０１は、両側面壁２０２に比べて高さが低く、工具が使いやすいようになっている。正面壁２０１の下端部は、少なくとも圧着端子２枚分（圧着部は外部に出るが、樹脂で絶縁されている）の挿入スペースｄが取れるように空いている。また、背面壁２０３の外面下方に、図示しないカムスイッチのカムユニットの開口部に対してワンタッチではめ込んで保持するための大小の二つの突起部２０４，２０５が突出している。大小の突起部２０４，２０５は先端部が外側に膨れており、この先端の膨れ部によって、カムユニットの開口部に対してそのばね性によりワンタッチで挿入してはめ込むようになっている。また、背面壁２０３の内側には、圧縮ばね２１３と共に座金２１２のＬ字状折り曲げ部２１２ａを収容するためのスリット部２０６が設けられている。この背面壁２０３の内面のスリット部２０６の一方端上部には、スリット部２０６に圧縮ばね２１３と共に座金２１２のＬ字状折り曲げ部２１２ａを収容した後に、Ｌ字状折り曲げ部２１２ａを抜け止めするようにロックするための突起部２０７（爪部）が設けられている。
【００３８】
このように、絶縁ブロック２１０は、平面視４角形の４辺を囲っており、４辺のうちの背面壁２０３の下端側から、係合用に先端部が互いに外側に膨れた装着用の二つの突起部２０４，２０５が突出している。また、絶縁ブロック２１０は、平面視４角形において、背面壁２０３の内側にＬ字状折り曲げ部２１２ａが収容されて上下に移動可能とするスリット部２０６が形成されており、スリット部２０６の一方端側が４角形の座金収容部２０８に連通し、スリット部２０６にＬ字状折り曲げ部２１２ａの抜けとめ用の突起部２０７が開口側に形成されていると共に、圧縮ばね２１３を収容するための円形穴２１２ｂがスリット部２０６の一部においてその深さ方向に形成されている。
【００３９】
このように、座金２１２は、上方にＬ字状に折り曲げられたＬ字状折り曲げ部２１２ａを有しており、Ｌ字状折り曲げ部２１２ａの中央部分に、下方に突出した突起部２１２ｂが設けられている。この突起部２１２ｂに圧縮ばね２１３が挿入されて保持されるようになっている。このように、座金２１２は、上方にＬ字状に折り曲げて圧縮ばね２１３と連結しているので、座金２１２と圧縮ばね２１３とを前後に配置してねじアップ機構の高さを低くして小型化を実現している。これによって、後述するカムスイッチのカムユニット部の配線用端子側へのねじアップ機構の潜り込みが防止されて、既存のカムスイッチのスイッチユニット部としてのカムユニット部の配線用端子にこのねじアップ機構を追加することができるようになっている。
【００４０】
絶縁ブロック２１０内に収容され、ねじ２１１の首部を保持用穴で外嵌して保持可能な座金２１２の後部辺一方側から上方に伸びＬ字状に他方側に折り曲げられたＬ字状折り曲げ部２１２ａの中央部から下方に突出した突起部２１２ｂが形成されてねじ付座金部が構成される。圧縮ばね２１３が突起部２１２ｂに係合されてねじ付座金部を上方向（ねじアップ方向）に付勢するようになっている。
【００４１】
以上のねじアップユニット２００により、ユニット化されて複数積み上げられたカムスイッチの配線用端子にねじアップ機構と、指が充電部に触れないようにしたカバーレスのフィンガープロテクション機能（配線用端子には実使用時に６００Ｖ）を持たせたものである。
【００４２】
このねじアップユニット２００は、ねじアップ機構とフィンガープロテクション構造をパッケージ化したブロックを後付けでカムユニット部側の開口部に、絶縁ブロック２１０の背面壁２０３から突出した大小の突起部２０４，２０５をワンタッチではめ込んで、そのカムスイッチの配線用端子１０８上にねじアップ機能を持たせることができる。
【００４３】
このようにして、ねじアップユニット２００だけの交換が可能なように、カムユニットへのはめ込み式にしている。このワンタッチのはめ込みは、カムスイッチの組み立て時に行ってもよいし、カムスイッチの組み立て後の実使用時に行ってもよい。
【００４４】
上記構成により、本実施形態のねじアップユニット２００の組み立てについて詳細に説明する。
【００４５】
図２（ａ）〜図２（ｃ）は、図１のねじアップユニット２００を組み立てる場合の各組み立て工程を示す組み立て斜視図である。
まず、図２（ａ）に示すように、筐体状の絶縁ブロック２１０の上面のスリット部２０６の円形部２０６ａに、圧縮ばね２１３をその一端から挿入する。
【００４６】
次に、図２（ｂ）に示すように、圧縮ばね２１３が挿入された筐体状の絶縁ブロック２１０のスリット部２０６に、圧縮ばね２１３の他端にＬ字状折り曲げ部２１２ａの突起部２１２ｂを挿入した状態で、圧縮ばね２１３を押圧しつつ、ねじ２１１と共に座金２１２を、筐体状の絶縁ブロック２１０の上面の座金挿入部２０８に挿入する。
【００４７】
さらに、図２（ｃ）に示すように、座金２１２のＬ字状折り曲げ部２１２ａをスリット部２０６内に挿入して、背面壁２０３の内側のロック用の突起部２０７を乗り越えるように押し込む。このとき、座金２１２はねじ２１１と共に、圧縮ばね２１３により付勢されてばねアップされるが、ロック用の突起部２０７により規制されて外部に飛び出すことはない。
【００４８】
このように、ねじアップユニット２００の製造方法として、ねじアップユニット組立工程は、円形穴２０６ａに上から圧縮ばね２１３を挿入する圧縮ばね挿入工程と、ねじ付座金部を座金収容部２０８に上から挿入すると共に、圧縮ばね２１３にＬ字状折り曲げ部２１２ａの突起部２１２ｂを係合させて、Ｌ字状折り曲げ部２１２ａをスリット部２０６に対して戻り止めの突起部２０７を超えて挿入するねじ付座金挿入工程とを有している。
【００４９】
次に、本実施形態のねじアップユニット２００を装着するカムスイッチ３００の組み立てについて説明する。
【００５０】
図３（ａ）〜図３（ｃ）は、本実施形態のねじアップユニット２００を装着したカムスイッチ３００の各組み立て工程を示す組み立て斜視図である。
【００５１】
まず、図３（ａ）のカムユニット部積み上げ工程に示すように、カムユニット３０１内にそのカバー部材３０２が抱き合わされたカムユニット部３０３内に回転カム３０４を収容すると共に、連結シャフト３０５を通し、下側の回転カム３０４に上側の回転カム３０４を連結する。最終的に、エンドプレート３０６を連結シャフト３０５に通すと共に、回転カム３０４の先端部をエンドプレート３０６の中央部の軸受け部（図示せず）内に回転自在にはめ込んでエンドプレート３０６をねじ３０７にて固定する。このようにして、カムスイッチ本体３００を組み立てる。
【００５２】
次に、図３（ｂ）のねじアップユニット装着工程に示すように、カムスイッチ本体３００のカムユニット３０１における配線用端子３０９の突出根元の上辺部とそのカバー部材３０２との間に開口部３０８が形成されており、この開口部３０８に対して、ねじアップユニット２００の背面２０３から突出した大小の突起部２０４，２０５をワンタッチではめ込んでねじアップユニット２００を配線用端子３０９上に装着保持する。このねじアップユニット２００を各配線用端子３０９上に装着する工程を繰り返して、図３（ｃ）に示すように、ねじアップユニット２００が全配線用端子３０９上にそれぞれ装着されたカムスイッチ３１０の組み立てを完成する。
【００５３】
なお、上記カムスイッチ３１０の組み立てでは、カムスイッチ本体３００を組み立てた後に、ねじアップユニット２００を開口部３０８に差し込んで、カムスイッチ本体３００にねじアップユニット２００を追加的に装着するようにしたが、これに限らず、カムユニット３０１内にそのカバー部材３０２が抱き合わせたカムユニット部３０３の組み立て時に、ねじアップユニット２００を装着するようにしてもよいし、このときに、ねじアップユニット２００自体をも組み立てるようにしてもよい。この場合を図４（ａ）および図４（ｂ）に示している。
【００５４】
即ち、図４（ａ）に示すように、カムユニット３０１にそのカバー部材３０２を上から抱き合わせる前または後に、ねじアップユニット２００の突起部２０４，２０５をカバー部材３０２の開口部３０８に差し込んで、図４（ｂ）に示すようなカムユニット部３０３Ａを完成する。このカムユニット部３０３Ａを回転カム３０４と共に複数個積み重ねれば、回転カム３０４の種類に応じて所望の接点構成のカムスイッチを完成することができる。
この場合のカムユニット３０１の内部の構造について図４（ａ）を用いて説明する。図４（ａ）に示すように、外周にカム溝を刻設した絶縁性の回転カム３０４（図３）を筐体ユニット３２１内に回転自在に収容し、回転カムの外周に、可動接点３２２を有する可動棒３２３を接点ばね３２４で付勢させた状態で当接させている。固定接点３２５は、この可動接点３２２に対向して可動接点３２２よりも回転カム３０４側に配置するように筐体ユニット３２１に取り付けられている。固定接点３２５は、筐体ユニット３２１の外側に配置された配線用端子３０９と一体的に連設されている。これによって、図示しないハンドルに連結された回転カム３０４の回転に伴って、階層の各筐体ユニット３２１内で回転カム３０４を回転させて、回転カム３０４の外周に設けたカム溝を利用して、可動接点３２２と固定接点３２５とをオン／オフするようになっている。なお、回転カム３０４の挿入は、カバー部材３０２の装着後に可動棒３２３間に挿入してもよい。
【００５５】
以上により、本実施形態によれば、圧縮ばね２１３の付勢力により座金２１２のＬ字状折り曲げ部２１２ａが突起部２０７（爪部）に当接して抜け止めとなってねじアップ状態を保持してねじアップ機能を発揮すると共に、このねじアップ構造を絶縁ブロック２１０で囲って絶縁体のフィンガープロテクション機能を発揮することができる。また、座金２１２は、上方にＬ字状に折り曲げて圧縮ばね２１３と連結しているので、座金２１２と圧縮ばね２１３とを前後に配置してねじアップ機構の高さを低くして小型化を実現しているため、カムスイッチにおけるのカムユニットの配線用端子側へのねじアップ機構の潜り込みを防止することができて、既存のカムスイッチのカムユニット部の小型の配線用端子にもこのねじアップ機構を容易に追加することができる。また、ねじアップ機構が破損した場合にも容易かつ素早くねじアップユニット２００を取り替えることもできる。
【００５６】
なお、上記カムスイッチ３１０の組み立てでは、カムスイッチ本体３００を組み立てた後に、ねじアップユニット２００をカバー部材３０２の開口部３０８に差し込んで、カムスイッチ本体３００にねじアップユニット２００を装着するようにしたり、カムユニット３０１内にそのカバー部材３０２を抱き合わせてカムユニット部３０３の組み立てる時に、ねじアップユニット２００を装着したりしたが、これに限らず、カバー部材３０２とねじアップユニット２００とが別体ではなく最初から一体に形成するようにしてもよい。この場合を図５（ａ）および図５（ｂ）に示している。
【００５７】
即ち、図５（ａ）に示すように、カムユニット３０１の上から、ねじアップユニット２００が一体的に設けられたカバー部材３０２Ａを抱き合わせて、図５（ｂ）に示すようなカムユニット部３０３Ｂを完成させる。この場合、カバー部材３０２Ａとしては、カバー部材３０２に絶縁ブロック２１０が一体的に形成された絶縁樹脂材料で構成され、絶縁ブロック２１０内に、ねじ２１１、座金２１２および圧縮ばね２１３が組み立てられて収容されている。このカムユニット部３０３Ｂを回転カム３０４と共に複数個積み重ねれば、回転カム３０４の種類に応じて所望の接点構成のカムスイッチが完成する。これを図６（ａ）および図６（ｂ）に示している。
【００５８】
即ち、図６（ａ）のカムユニット部３０３Ｂの積み上げ工程に示すように、カムユニット３０１内にそのカバー部材３０２Ａが抱き合わされたカムユニット部３０３Ｂ内に回転カム３０４を収容すると共に、連結シャフト３０５を通し、下側の回転カム３０４に上側の回転カム３０４を連結する。最終的に、エンドプレート３０６を連結シャフト３０５に通すと共に、回転カム３０４の先端部をエンドプレート３０６の中央部の軸受け凹部（図示せず）内に回転自在にはめ込んでねじ３０７にてエンドプレート３０６を固定する。このように、カムユニット部３０３Ｂを回転カム３０４と共に複数個積み重ねれば、回転カム３０４の種類に応じて所望の接点構成のカムスイッチ３１０Ａが組み立てられる。
【００５９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６０】
本発明は、端子のねじ穴からねじを回転離脱させた状態で端子面に対して垂直方向にねじを座金と共に移動（アップ）させた状態にすることにより、ねじ締結作業を容易にするねじアップ機能を有するねじアップユニットおよびその製造方法、このねじアップユニットが用いられるスイッチユニット部、このねじアップユニットが用いられ、例えば原子力発電所、火力発電所および変電所などの配電盤、制御盤および監視盤などに用いられるドラムスイッチやカムスイッチなどの切り替えスイッチなどの開閉器の分野において、圧縮ばねの付勢力により座金のＬ字状折り曲げ部が突起部に当接して抜け止めとなってねじアップ状態を保持してねじアップ機能を発揮すると共に、このねじアップ構造を絶縁ブロックでその周りを囲って絶縁体のフィンガープロテクション機能を発揮することができる。また、座金は、上方にＬ字状に折り曲げて圧縮ばねと連結しているため、座金と圧縮ばねとを前後に配置してねじアップ機構を低くして小型化を実現しているため、カムスイッチなどの電力制御開閉器におけるのスイッチユニット部の配線用端子側へのねじアップ機構の潜り込みを防止することができて、既存のカムスイッチなどの電力制御開閉器のスイッチユニット部の小型の配線用端子にもこのねじアップ機構を容易に追加することができる。また、このねじアップ機構が破損した場合にも容易かつ素早くねじアップユニットを取り替えることもできる。
【符号の説明】
【００６１】
２００  ねじアップユニット
２０１  正面壁
２０２  側面壁
２０３  背面壁
２０４，２０５  突起部
２０６  スリット部
２０６ａ  円形部
２０７  突起部
２０８  座金挿入部
２１０  絶縁ブロック
２１１  ねじ
２１２  座金
２１２ａ  Ｌ字状折り曲げ部
２１３  圧縮ばね
３００  カムスイッチ本体
３０１  カムユニット
３０２，３０２Ａ  カバー部材
３０３，３０３Ａ，３０３Ｂ  カムユニット部
３０４  回転カム
３０５  連結シャフト
３０６  エンドプレート
３０７  ねじ
３０８  開口部
３０９  配線用端子
３１０，３１０Ａ  カムスイッチ
３２１  筐体ユニット
３２２  可動接点
３２３  可動棒
３２４  接点ばね
３２５  固定接点
【図１】
2011034735.tif 000003
【図２】
2011034735.tif 000004
【図３】
2011034735.tif 000005
【図４】
2011034735.tif 000006
【図５】
2011034735.tif 000007
【図６】
2011034735.tif 000008
【図７】
2011034735.tif 000009
【図８】
2011034735.tif 000010
【図９】
2011034735.tif 000011